(57)【要約】      （修正有）【課題】コネクタとカバーの固定を簡単に行う。【解決手段】ターゲットボードコネクタの上のカバーの上からターゲットボードコネクタまで被せて回転可能であり、固定によってターゲットボードコネクタとカバーとを固定でき、逆回転で固定を解除できる固定具であり、固定具はリング状の周壁と、カバーの上からターゲットボードコネクタまで被せることのできる嵌合口と、ターゲットボードコネクタの底面を支持する支持部と、カバーの上面を押さえる押さえ部を設け、それらを樹脂で一体成型し、周壁はカバー及びターゲットボードコネクタの外周を回転可能とし、支持部と押さえ部は周壁の内側に周壁に沿って成型し、支持部の上面と押さえ部の下面の双方又はいずれか一方を斜面に成型し、その斜面は周壁を回転させるとカバーとターゲットボードコネクタを上下から挟んで固定することができ、逆回転させると固定が解除されるスロープにした。【選択図】図１
2009004125.tif 000002
【特許請求の範囲】
【請求項１】
ターゲットボードコネクタの上のカバーの上からターゲットボードコネクタまで被せて回転可能であり、固定によってターゲットボードコネクタとカバーとを固定でき、逆回転で固定を解除できる固定具であり、固定具はリング状の周壁と、カバーの上からターゲットボードコネクタまで被せることのできる嵌合口と、ターゲットボードコネクタの底面を支持する支持部と、カバーの上面を押さえる押さえ部を備え、それらは樹脂で一体成型され、周壁はカバー及びターゲットボードコネクタの外周を回転可能であり、支持部と押さえ部は周壁の内側に周壁に沿って成型され、支持部の上面と押さえ部の下面の双方又はいずれか一方を斜面に成型し、その斜面は周壁を回転させるとカバーとターゲットボードコネクタを上下から挟んで固定することができ、逆回転させると固定が解除されるスロープに成型されたことを特徴とするターゲットボードコネクタとカバーの固定具。
【請求項２】
請求項１記載のターゲットボードコネクタとカバーの固定具において、支持部の上面が回転方向に上り斜面に又は押さえ部の下面が回転方向に下り斜面に成型され、又は支持部の上面が前記上り斜面に成型され且つ押さえ部の下面が前記下り斜面に成型されたことを特徴とするターゲットボードコネクタとカバーの固定具。
【請求項３】
請求項１又は請求項２記載のターゲットボードコネクタとカバーの固定具において、嵌合口が角形のターゲットボードコネクタ及び角形のカバーの角部にその上から被せることができるように嵌合口を周壁の周方向対角線上の四ヶ所に底面開口に成型され、支持部が嵌合口の間に成型されたことを特徴とするターゲットボードコネクタとカバーの固定具。
【発明の詳細な説明】
【技術分野】
【０００１】
本発明はターゲットボード（基板）に装着可能なターゲットボードコネクタと、その上に被せたカバーとを固定するためのロックカバー（固定具）に関する。
【背景技術】
【０００２】
ターゲットボードコネクタ（以下単に「コネクタ」という。）は、例えば、クワッドフラットパッケージ（Quad Flat Package：ＱＦＰ）タイプのＩＣ（以下単に「ＩＣ」という。）をターゲットボード（プリント基板：以下単に「基板」という。）に実装する場合、ＩＣを性能試験する場合、延長ケーブルを接続する場合等々に使用されている。使用の一例として図１２に示すものは、図示されていない基板に装着されるコネクタＡにＱＦＰタイプのＩＣを搭載し、そのＩＣの上からＱＦＰカバー（以下単に「カバー」という。）Ｂを被せ、カバーＢの四隅の孔Ｃからコネクタの四隅の孔ＤにネジＥをねじ込んでカバーＢをコネクタＡに固定してある。
【０００３】
他の使用例として図１３に示すものは、コネクタＡにエミュレータ接続用カバー（以下単に「カバー」という。）Ｆを被せ、そのカバーＦの四隅の孔ＧにガイドピンＨを立て、ガイドピンＨをコネクタの四隅の孔Ｄに差し込んでコネクタＡとカバーＦとを固定し、ガイドピンＨをガイドにして前記カバーＦの上にエミュレータ接続用ソケット（以下単に「ソケット」という。）Ｉを被せてある。エミュレータ（図示せず）はソケットＩの上面に突出しているピンＪに嵌合してセットされる。
【発明の開示】
【発明が解決しようとする課題】
【０００４】
図１２ではコネクタＡとカバーＢを四本のネジで固定するため固定作業が面倒である。ＩＣの性能試験の場合は試験をするＩＣごとにネジの固定、取外しを行うためその作業が一層面倒であり作業能率が悪い。
【０００５】
図１３ではコネクタＡとカバーＢをガイドピンＨで固定し、ガイドピンＨをガイドにしてソケットＩを重ねるため作業が非常に面倒であった。
【課題を解決するための手段】
【０００６】
本発明の固定具はターゲットボードコネクタの上のカバーの上からターゲットボードコネクタまで被せて回転可能であり、固定によってターゲットボードコネクタとカバーとを固定でき、逆回転で固定を解除できる固定具であり、固定具はリング状の周壁と、カバーの上からターゲットボードコネクタまで被せることのできる嵌合口と、ターゲットボードコネクタの底面を支持する支持部と、カバーの上面を押さえる押さえ部を備え、それらは樹脂で一体成型され、周壁はカバー及びターゲットボードコネクタの外周を回転でき、支持部と押さえ部は周壁の内側に成型され、支持部の上面と押さえ部の下面の双方又はいずれか一方を斜面に成型し、その斜面は周壁を回転させるとカバーとターゲットボードコネクタを上下から挟んで固定することができ、逆回転させると固定が解除されるスロープに成型されたことを特徴とするものである。
【０００７】
本発明の固定具は、支持部の上面を回転方向に上り斜面に又は押さえ部の下面を回転方向に下り斜面に成型することができる。また、支持部の上面を前記上り斜面に成型し且つ押さえ部の下面を前記下り斜面に成型することもできる。
【０００８】
本発明の固定具は、角形のターゲットボードコネクタ及び角形のカバーの角部にその上から被せることができるように嵌合口を周壁の周方向対角線上の四ヶ所に底面開口に成型し、支持部を嵌合口の間に成型することができる。
【発明の効果】
【０００９】
本件出願の固定具は次のような効果がある。
（１）固定具をコネクタの上に重ねたカバーの上から、当該カバー及びコネクタに被せて回転させるだけで、支持部の上面と押さえ部の下面によってコネクタの底面とカバーの上面を挟み、その状態で回転を進めるだけでカバーとコネクタを固定できるのでネジ止めの面倒がない。また、カバーとコネクタをガイドピンを使用しなくとも固定することができる。
（２）周壁を逆回転させるだけでコネクタとカバーの固定を解除できるのでカバーの取り外しも容易である。
（３）外形、外径寸法が同一のコネクタ及びカバーであれば、用途の異なる各種コネクタ及びカバーであっても一つの固定具で固定することができ、コネクタとカバーが正方形であっても長方形であっても使用できる。
（４）支持部、押さえ部がリング状の周壁に沿ってその内側に形成されているので、周壁のコネクタ及びカバーへの接触面積を広くすることができ、コネクタとカバーをねじで固定する場合と同様に確実に固定することができる。このため、コネクタとそれに搭載したＩＣとカバーとの導通が安定し、接触抵抗を小さく抑えることができるので信頼性の高い固定ができ、例えば、ＩＣの性能試験の場合には精度の高い測定が可能となる。
（５）樹脂で一体成型されているので製作が容易である。
（６）固定、解除のために固定具の他に、他の工具やパーツなどが不要であるため、随時固定、解除が可能である。
（７）周壁がリング状であって内側に空間があるため、固定具を被せたカバーの上面がその空間に露出し、その空間内に中継コネクタや他の部材を収容配置するスペースが確保され、空間部に配置した中継コネクタや他の部材に延長ケーブルとか他の部品等を接続することもできる。
【発明を実施するための最良の形態】
【００１０】
（固定具の実施形態１）
本件出願の固定具１０の実施形態の一例を図１〜図５に基づいて説明する。この固定具はネジも、ガイドピンも使用せずにコネクタとカバーを固定できるものであり、固定できるコネクタとカバーの形状、寸法等は特に問わないが、一例として図１〜図５に示す固定具は基板に装着されるコネクタ１にＱＦＰタイプのＩＣ（以下単に「ＩＣ」という。）を搭載し、その上にＱＦＰ用カバー（以下単に「カバー」という。）２を被せ、そのカバー２の上から被せてコネクタ１とカバー２を固定する場合である。
【００１１】
図１のコネクタ１、ＩＣ、カバー２は既存製品と同じものであり、コネクタ１は硬質樹脂製の四角形（正方形）の基盤３の四つの角部に肉厚で基盤上方に突出するボス４が成型され、それに止め孔５が縦向きに開口され、四辺に多数本のコンタクトピン６が均等間隔で差し込まれて裏面に突出している。カバー２は硬質樹脂製の四角形（正方形）の基盤７の四つの角部に基盤上下に突出するガイド壁８が形成され、ガイド壁８の内側に止め孔９が縦向きに開口されている。前記四つのガイド壁８はカバー２をコネクタ１の上に被せると、コネクタ１の四つのボス４の外側に被さる位置、形状、寸法に成型されている。図示したＩＣは既存のＱＦＰタイプである。
【００１２】
固定具１０は硬質樹脂製であり、円形リング状の周壁１１の下部四箇所に周壁１１の内側に突出する支持部１２（図２（ｂ））が成型され、周壁１１の上部に円形リング状の押さえ部１３が周壁１１の内側に突出して成型され、夫々の支持部１２と押さえ部１３との間に保持空間１７が成型され、天板部１４及び押さえ部１３の内側に上下に開口する空間２０が成型され、周壁１１の四ヶ所に嵌合口１５が成型されている。
【００１３】
周壁１１の内径は嵌合口１５をカバー２の上からコネクタ１及びカバー２に被せて回転させたときに、周壁１１の内周面１１ａ（図２（ｂ））がそれらコネクタ１及びカバー２の外周を回転できる大きさにしてある。
【００１４】
前記四つの支持部１２はコネクタ１の底面を支持するものであり、周壁１１の周方向に等間隔（９０度間隔）で成型され、周壁１１に沿って円弧状に成型されている。夫々の支持部１２は、上面１２ａ（図２（ｂ））が周壁１１の回転方向に次第に上りスロープの上り斜面に成型され、回転方向終端部１２ｂ（図２（ｂ））が水平面に成型されている。
【００１５】
四つの支持部１２の間には嵌合口１５が開口されている。嵌合口１５は角形のカバー２の上から角形のコネクタ１に被せる際にそれらカバー２、コネクタ１の四つの角部に位置決めするためのものであり、図２（ａ）、（ｂ）に示すように周壁１１の底面から周壁１１の高さ方向途中まで角形に開口されている。
【００１６】
押さえ部１３は図２（ｂ）に明示してあるように周壁１１の全周から内側に円形リング状の天板部１４の先端部下方に突出され、周壁１１と平行に成型されている。押さえ部１３の下面１３ａは、図４（ａ）（ｂ）のように固定具１０をカバー２の上からコネクタ１まで被せるとカバー２の四つの角部の上面に被さるようにしてある。天板部１４の上面には四つの同形の横長孔１６（図１）が周方向に均等間隔で開口されている。この横長孔１６は固定具成型用と固定具軽量化のためのものでもある。
【００１７】
夫々の支持部１２と押さえ部１３の下面１３ａの間の保持空間１７（図３（ｂ））はコネクタ１とその上に重ねたカバー２の四つの角部を上下から挟むことができる高さにして、周壁１１を回転させるとコネクタ１とカバー２が保持空間１７内に入り込んで支持部１２の上面１２ａ（図２（ｂ））が図５（ｂ）のようにコネクタ１の底面に接触し、押さえ部１３の下面１３ａが図５（ｂ）のようにカバー２の上面に接触するようにしてある。夫々の保持空間１７の回転方向終端部には周壁１１の内側に突出する肉厚のストッパー１８（図２（ａ）（ｂ））が成型されており、図４（ｂ）の矢印方向に固定具１０を回転させてコネクタ１とカバー２の角部がストッパー１８に接触すると固定具１０がその位置で停止してそれ以上は回転しないようにしてある。
【００１８】
（使用例１）
図１、図２に示す固定具１０を使用して、コネクタ１とその上に重ねたカバー２とを固定するには、固定具１０の嵌合口１５をカバー２とコネクタ１の四隅の角部に位置合わせし、固定具１０をそのまま降下させると図４（ａ）のように固定具１０がカバー２の上からコネクタ１の外周まで被さる。その状態から図４（ｂ）のように固定具１０を少し回転させるとコネクタ１とカバー２が保持空間１７内に進入してコネクタ１の底面が支持部１２の上面１２ａに乗り上げてカバー２の上面が押さえ部１３の下面１３ａ（図２（ａ））との間に挟まれる。その位置から固定具１０を（図４（ｂ））の矢印方向に更に回転させるとコネクタ１の底面が支持部１２の上面１２ａの上りスロープ部に乗り上げて押さえ部１３の下面１３ａ（図４（ｂ））との間に強く挟まれる。固定具１０を更に回転させてコネクタ１とカバー２の角部に固定具１０のストッパー１８を衝突させるとコネクタ１の底面が支持部１２の水平面である終端部１２ｂ（図２（ｂ））に乗り上げてコネクタ１とカバー２が固定される。固定具１０を逆回転させるとコネクタ１の底面が支持部１２の上りスロープ部を降りてコネクタ１の底面の押しが緩んで前記固定が解除される。
【００１９】
前記使用例において図５（ａ）のように固定具１０を被せる前は、コネクタ１に搭載されたＩＣのコンタクトピンＩＣＰが、コネクタ１のコンタクトピン６とカバー２のコンタクトピン１９との間に軽く挟まれているが、図５（ｂ）のようにカバー２の上に固定具１０を被せ、その固定具１０を回転させて回転貝１０の支持部１２の上りスロープ部を経て終端部１２ｂをコネクタ１の底面に圧接させてコネクタ１とカバー２を固定すると、ＩＣのコンタクトピンＩＣＰがカバー２のコンタクトピン１９とコネクタ１のコンタクトピン６の間に強固に挟まれて三つのコンタクトピンの接触が確実になる。図５（ｂ）の場合はコネクタ１のコンタクトピン６が圧接により多少下方に押されて変形する。図５（ａ）、（ｂ）のＰはコネクタ１を装着したターゲットボード（プリント基板）である。
【００２０】
（使用例２）
図６に示すものは、図１に示すコネクタ１と同じコネクタ１の上に、ＩＣを搭載せずにエミュレータ接続用のカバー２を被せ、その上から固定具１０を被せる使用例である。この場合も使用例１と同様に、固定具１０の嵌合口１５をカバー２の四つの角部に位置合わせしてそのまま降下させ、固定具１０を回転させてコネクタ１とカバー２を固定する。コネクタ１とカバー２が固定される過程は使用例１の場合と同様である。この使用例では、図７（ａ）のように固定具１０を被せる前は、コネクタ１のコンタクトピン６とカバー２のコンタクトピン２５は軽く接触しているが、図７（ｂ）のように被せたカバー２の上に固定具１０を被せ、その固定具１０を回転させて固定具１０の支持部１２の上りスロープ部を経て終端部１２ｂをコネクタ１の底面に圧接させてコネクタ１とカバー２を固定すると、カバー２のコンタクトピン２５がコネクタ１のコンタクトピン６に圧接されて両コンタクトピンの接触が確実になる。図７（ｂ）の場合は、コネクタ１のコンタクトピン６が圧接により多少、下方に押されて変形する。図７（ａ）、（ｂ）のＰはコネクタ１を装着したターゲットボード（プリント基板）である。
【００２１】
（使用例３）
図８に示すものは、図６に示すコネクタ１の上にＩＣを搭載せずにカバー２を被せ、その上から固定具１０を被せ、固定具１０の押さえ部１３の内側の空間２０の内側からカバー２の上にケーブル接続用ソケット２１を被せる場合の例であり、図９は図８のケーブル接続用ソケット２１に延長ケーブル２３のコネクタ２４を接続する場合の例である。
【００２２】
（固定具の実施形態２）
図１０に示す固定具１０はコネクタ１及びカバー２が長方形の場合である。この固定具１０の基本的構造、形状は実施形態１（図１、図２）の固定具１０と同じであり、異なるのは図１０（ｂ）のように周壁１１の四箇所に形成した四つの嵌合口１５のうち対角線上の二箇所の位置決め口１５を長方形のコネクタ１及びカバー２の対角線上の二つの角部に位置合わせでき、そのとき他の対角線上の他の２箇所の嵌合口１５は当該コネクタ１及びカバー２の対角線上の他の二つの角部の外側からずれて、その二つの角部は周壁１１の内側に収まる大きさに成型してあることである。
【００２３】
図１０の固定具１０を使用する場合は図１０（ｂ）のように対角線上の二箇所の嵌合口１５を長方形のコネクタ１及びカバー２の対角線上の二つの角部に位置合わせした状態から、図１１（ｂ）のように固定具を回転させるとコネクタ１とカバー２が固定される。この間の過程は図１の固定具の固定時と同様である。固定した固定具１０を逆回転させるとコネクタ１の底面が支持部１２の上りスロープ部を降りてコネクタ１の底面の押しが緩んで前記固定が解除される。この間の過程も図１の固定具の解除時と同様である。
【００２４】
（固定具の実施形態３）
コネクタ１とその上に重ねたカバー２とを固定するためには、押さえ部１３の下面１３ａを固定具１０の回転方向に次第に下りスロープの下り斜面にすることも、支持部１２の上面１２ａを回転方向に次第に上りスロープの上り斜面にすると共に押さえ部１３の下面１３ａを回転方向に次第に下りスロープの下り斜面にしてもよい。本発明の固定具１０で固定するコネクタ１、カバー２、ＩＣは既存の他の形状、構造、タイプのものでも、新たに開発されるものでもよい。
【産業上の利用可能性】
【００２５】
本発明の固定具は、ＳＳＯＰ（Small Shrink Outline Package）タイプのＩＣを搭載可能なＳＳＯＰ対応ＩＣコネクタとそれに被せるＳＳＯＰ用カバーとの固定、ＳＳＯＰ対応ＩＣコネクタとそれに被せるエミュレータ接続用カバーとの固定、ＢＧＡ（Ball Grid Array）タイプのＩＣを搭載可能なＢＧＡ対応ＩＣコネクタとそれに被せたカバー、ソケット、プラグ等との固定をはじめとする、他の各種タイプのコネクタとカバーの固定に利用することができる。
【図面の簡単な説明】
【００２６】
【図１】コネクタとＩＣとカバーと本発明の固定具の説明図。
【図２】（ａ）は本発明の固定具の斜視図、（ｂ）は（ａ）の仮想線で囲った部分の詳細断面図。
【図３】（ａ）は本発明の固定具とコネクタとの嵌合位置関係の説明図、（ｂ）は（ａ）のＸ−Ｘ断面図。
【図４】（ａ）は本発明の固定具をカバーの上から被せた状態の横断平面図、（ｂ）は（ａ）の位置から固定具を矢印方向に回転させたときの横断平面図。
【図５】（ａ）はＩＣを搭載したコネクタの上にカバーを被せた状態の部分縦断面図、（ｂ）は（ａ）のコネクタ及びカバーに本発明の固定具を被せた状態の部分縦断面図。
【図６】コネクタとその上に被せるエミュレータ接続用カバーと本発明の固定具の説明図。
【図７】（ａ）は図６のコネクタにエミュレータ接続用カバーを被せた状態の部分縦断面図、（ｂ）は（ａ）のコネクタ及びカバーに本発明の固定具を被せた状態の部分縦断面図。
【図８】図６のコネクタの上にエミュレータ接続用カバーを被せ、その上に本発明の固定具を被せて固定し、その固定具の内側からエミュレータ接続用カバーの上にソケットを被せ、そのソケットにピン保護カバーを被せる場合の配置説明図。
【図９】図６のコネクタの上にエミュレータ接続用カバーを被せ、その上に本発明の固定具を被せて固定し、その固定具の内側からエミュレータ接続用カバーの上にソケットを被せ、そのソケットに延長ケーブルのソケットを被せる場合の配置説明図。
【図１０】（ａ）は長方形のコネクタ及びカバー用の本発明の固定具の平面図、（ｂ）は長方形のコネクタ及びカバーへ本発明の固定具を位置合わせした状態の横断平面図。
【図１１】（ａ）は長方形のコネクタ及びカバーに本発明の固定具を被せた状態の横断平面図、（ｂ）は固定具を矢印方向に回転させてコネクタ及びカバーを固定した状態の横断平面図。
【図１２】コネクタにＩＣを搭載し、ＩＣの上からコネクタに被せたカバーをネジ止めする場合の説明図。
【図１３】コネクタにエミュレータ接続用カバーを被せ、そのカバーの四隅の孔にネジをねじ込んでカバーをコネクタに固定し、カバーの四隅に立てたガイドピンをガイドにしてエミュレータ接続用ソケットを被せる場合の説明図。
【符号の説明】
【００２７】
１  コネクタ
２  カバー
３  コネクタの基盤
４  ボス
５  コネクタの止め孔
６  コネクタのコンタクトピン
７  カバーの基盤
８  ガイド壁
９  カバーの止め孔
１０  固定具
１１  周壁
１１ａ  周壁の内周面
１２  支持部
１２ａ  支持部の上面
１２ｂ  支持部の上面終端部
１３  押さえ部
１３ａ  押さえ部の下面
１４  天井部
１５  嵌合口
１６  横長孔
１７  保持空間
１８  ストッパー
１９  ＩＣ用カバーのコンタクトピン
２０  空間
２１  ケーブル接続用ソケット
２１ａ  ケーブル接続用ソケットのピン
２２  保護カバー
２３  延長ケーブル
２４  延長ケーブルのコネクタ
２５  エミュレータ接続用カバーのコンタクトピン
Ａ  コネクタ
Ｂ  ＱＦＰカバー
Ｃ  カバーの四隅の孔
Ｄ  コネクタの四隅の孔
Ｅ  ネジ
Ｆ  エミュレータ接続用カバー
Ｇ  エミュレータ接続用カバーの四隅の孔
Ｈ  ガイドピン
Ｉ  エミュレータ接続用ソケット
Ｊ  ソケットのピン
【図１】
2009004125.tif 000003
【図２】
2009004125.tif 000004
【図３】
2009004125.tif 000005
【図４】
2009004125.tif 000006
【図５】
2009004125.tif 000007
【図６】
2009004125.tif 000008
【図７】
2009004125.tif 000009
【図８】
2009004125.tif 000010
【図９】
2009004125.tif 000011
【図１０】
2009004125.tif 000012
【図１１】
2009004125.tif 000013
【図１２】
2009004125.tif 000014
【図１３】
2009004125.tif 000015